(57)【要約】【課題】単相３線式の配電方式において、復電時の漏電を防ぐこと。【解決手段】実施形態の一例に係る蓄電池システムは、系統側から単相３線式の配線を介して電力が供給される場合は、当該電力を変換して蓄電池に蓄電させる電力変換回路と；前記系統側からの電力供給が停止した場合は、前記系統側と前記電力変換回路との接続を遮断する第１リレーと；前記配線が有する電圧線の電位と、前記電力変換回路により変換された電力の電位とに基づいて、前記蓄電池の制御に用いる電力を生成する制御電源回路と；前記系統側からの電力供給が停止した場合は、前記配線が有する中性線を接地させる第２リレーと；前記系統側からの電力供給が停止した場合は、前記制御電源回路と前記電圧線とを遮断し、前記系統側からの電力供給が再開した場合は、前記制御電源回路と前記電圧線とを接続する第３リレーと；を有することを特徴とする。【選択図】図１
2020054205.tif 000002
【特許請求の範囲】
【請求項１】
系統側から単相３線式の配線を介して電力が供給される場合は、当該電力を変換して蓄電池に蓄電させる電力変換回路と；
前記系統側からの電力供給が停止した場合は、前記系統側と前記電力変換回路との接続を遮断する第１リレーと；
前記配線が有する電圧線の電位と、前記電力変換回路により変換された電力の電位とに基づいて、前記蓄電池の制御に用いる電力を生成する制御電源回路と；
前記系統側からの電力供給が停止した場合は、前記配線が有する中性線を接地させる第２リレーと；
前記系統側からの電力供給が停止した場合は、前記制御電源回路と前記電圧線とを遮断し、前記系統側からの電力供給が再開した場合は、前記制御電源回路と前記電圧線とを接続する第３リレーと；
を有することを特徴とする蓄電池システム。
【請求項２】
前記第２リレーは、前記系統側からの電力供給が再開した場合は、前記配線が有する中性線の接地を遮断する
ことを特徴とする請求項１に記載の蓄電池システム。
【請求項３】
前記第３リレーは、前記系統側からの電力供給が再開した場合は、前記第２リレーが前記接地を遮断した後で前記制御電源回路と前記電圧線とを接続する
ことを特徴とする請求項２に記載の蓄電池システム。
【請求項４】
前記制御電源回路は、前記系統からの電力を供給する漏電遮断器と前記第１リレーとの間の電圧線の電位に基づいて、前記蓄電池の制御に用いる電力を生成し、
前記第３リレーは、前記漏電遮断器と前記制御電源回路との間の配線を遮断若しくは接続する
ことを特徴とする請求項１〜３のうちいずれか１つに記載の蓄電池システム。
【発明の詳細な説明】
【技術分野】
【０００１】
本発明の実施形態は、蓄電池システムに関する。
【背景技術】
【０００２】
近年、太陽光発電技術の普及に伴い、一般家庭でも太陽光パネル等の発電設備と蓄電池とを家屋に設置して、発電および充電を行うとともに、パワーコンディショナ等の制御装置により充放電制御して、電力を利用する蓄電池システムが増えている。また、このような蓄電池システムにおいては、太陽光パネル等が発電した電力のみならず、系統から供給される電力を蓄電池に充電し、系統からの電力供給が停止した際に、蓄電池から各負荷に対して電力を供給する自立運転を実行する。
【０００３】
一方で、単相交流電力を３本の電線を介して供給することで、１００ボルトの交流電力のみならず、２００ボルトの交流電力を取出し可能な単相３線式の配電方式が知られている。このような単相３線式の配電方式においては、基準電位（グランド）となる中性線（Ｎ相）と、位相が逆位相となる１００ボルトの交流電力を伝達する２本の電圧線（Ｌ１相およびＬ２相）とを介して、電力が供給される。
【先行技術文献】
【非特許文献】
【０００４】
【非特許文献１】「東芝  電設資材  2017-2018」、［online］、［平成３０年９月１７５日検索］、インターネット＜ＵＲＬ：http://page2.cextension.jp/c4089/book/＞
【発明の概要】
【発明が解決しようとする課題】
【０００５】
ここで、系統側から漏電遮断器を介して蓄電池へと至る配線を単相３線式で接続し、蓄電池を充電する構成が考えられる。このような構成においては、配線の電圧線における電位に基づいて、蓄電池の充放電を制御することとなるが、雑音対策や高周波対策として、充放電を制御する制御電源基板と電圧線との間に変圧器を設ける構成が考えられる。しかしながら、交流電力用の変圧器は、比較的大型であるため、設置スペースの増大やコストの増大が生じてしまう。
【０００６】
しかしながら、このような変圧器を設置しない場合、系統側からの電力供給が停止した場合に、蓄電池から電力を適切に供給することができない恐れがある。
【０００７】
例えば、系統側からの電力供給が停止した場合、蓄電池は、系統側との接続を遮断するとともに、自装置の接地リレーを介してＮ相を接地させ、蓄電した電力を所定の負荷に供給する自立運転を開始する。しかしながら、自立運転中に系統が復電すると、系統側との接続を行った際に、系統側のＮ相と蓄電池の接地リレーとの２点接地が発生する結果、閉回路が形成され、漏電が生じる結果、漏電遮断器が系統からの電力を遮断してしまう場合がある。
【０００８】
本願は、単相３線式の配電方式において、系統側と蓄電池との間に変圧器を配置せずとも、復電時の漏電を防ぐことを目的とする。
【課題を解決するための手段】
【０００９】
実施形態に係る蓄電池システムは、系統側から単相３線式の配線を介して電力が供給される場合は、当該電力を変換して蓄電池に蓄電させる電力変換回路と；前記系統側からの電力供給が停止した場合は、前記系統側と前記電力変換回路との接続を遮断する第１リレーと；前記配線が有する電圧線の電位と、前記電力変換回路により変換された電力の電位とに基づいて、前記蓄電池の制御に用いる電力を生成する制御電源回路と；前記系統側からの電力供給が停止した場合は、前記配線が有する中性線を接地させる第２リレーと；前記系統側からの電力供給が停止した場合は、前記制御電源回路と前記電圧線とを遮断し、前記系統側からの電力供給が再開した場合は、前記制御電源回路と前記電圧線とを接続する第３リレーと；を有することを特徴とする。
【発明の効果】
【００１０】
本願は、単相３線式の配電方式において、系統側と蓄電池との間に変圧器を配置せずとも、復電時の漏電を防ぐことができる。
【図面の簡単な説明】
【００１１】
【図１】図１は、実施形態に係る蓄電池システムの構成例を示す図である。
【図２】図２は、実施形態に係る接続関係の一例を示す図である。
【図３】図３は、実施形態において生じうる閉ループの一例を示す図である。
【発明を実施するための形態】
【００１２】
以下で説明する実施形態に係る蓄電池システム１００は、系統側から単相３線式の配線を介して電力が供給される場合は、電力を変換して蓄電池に蓄電させる電力変換回路（例えば、インバータＩ１１７）と、系統側からの電力供給が停止した場合は、系統側と電力変換回路との接続を遮断する第１リレー（例えば、リレーＬ１１１〜Ｌ１１３）と、配線が有する電圧線の電位と、電力変換回路により変換された電力の電位とに基づいて、蓄電池の充放電を制御する制御回路（例えば、制御電源基板１３０）と、系統側からの電力供給が停止した場合は、配線が有する中性線を接地させる第２リレー（例えば、リレー１５０、Ｌ１１７）と、系統側からの電力供給が停止した場合は、制御回路と電圧線とを遮断し、系統側からの電力供給が再開した場合は、制御回路と電圧線とを接続する第３リレー（例えば、リレー１４０、Ｔ１３７）とを有する。
【００１３】
また、以下で説明する実施形態に係る第２リレーは、系統側からの電力供給が再開した場合は、配線が有する中性線の接地を遮断する。
【００１４】
また、以下で説明する実施形態に係る第３リレーは、系統側からの電力供給が再開した場合は、第２リレーが接地を遮断した後で制御回路と電圧線とを接続する。
【００１５】
また、以下で説明する実施形態に係る制御回路は、系統からの電力を供給する漏電遮断器（例えば、分電盤３０）と第１リレーとの間の電圧線の電位に基づいて、電力変換回路を制御し、第３リレーは、漏電遮断器と制御回路との間の配線を遮断若しくは接続する。
【００１６】
（実施形態）
まず、図１を用いて、実施形態に係る蓄電池システム１００について説明する。図１は、実施形態に係る蓄電池システムの構成例を示す図である。図１に示す例では、蓄電池システム１００は、住宅Ｈに設置されたＨＥＭＳ（Home  Energy  Management  System）と接続され、系統ＣＰから供給される電力を蓄電する機能を有する。また、実施形態に係る蓄電池システム１００は、後述の太陽光パネルＰＶにより発電された電力を蓄電し、各種の負荷に蓄電した電力を供給することが可能である。より具体的には、蓄電池システム１００は、地震などにより系統ＣＰからの電力供給が停止（以下、「系統ＣＰが損失」と記載する。）した場合に、電源ＣＰから解列して自家発電による自立運転を行うことが可能である。あるいは、実施形態に係る蓄電池システム１００では、停電時等において、系統電源ＣＰから解列して自立運転を行うことが可能である。
【００１７】
例えば、図１に示す例では、住宅Ｈには、スマートメータＳＭ、太陽光パネルＰＶ、パワーコンディショナＰＣ、分電盤３０、一般負荷１０および特定負荷２０が設置されている。また、図１に示す例では、蓄電池システム１００は、電力変換ユニット１１０、蓄電池１２０、制御電源基板１３０、および複数のリレー１４０、１５０が設置されている。
【００１８】
スマートメータＳＭは、系統ＣＰから供給された電力、すなわち系統ＣＰ側から買電した電力や、系統ＣＰ側へ供給した電力、すなわち売電した電力を計量するメータである。例えば、スマートメータＳＭは、売電した電力を計量するメータと、買電した電力を計量するメータとを各々含んでもよい。例えば、スマートメータＳＭは、分電盤３０と系統ＣＰとの間に設けられ、売電した電力を計量したり、買電した電力を計量したりする。また、スマートメータＳＭは、図示を省略したホームゲートウェイ等を介して所定の外部サーバに、各種電力の情報等を送信する機能を有していてもよい。また、スマートメータＳＭは、住宅Ｈの外に設置されているものとする。
【００１９】
パワーコンディショナＰＣは、パワコンやＰＣＳ（Power  Conditioning  System）とも称される装置であって、太陽光パネルＰＶにより発電された電力を、住宅Ｈ内の一般負荷１０や特定負荷２０等で利用可能にする装置である。例えば、パワーコンディショナＰＣは、太陽光パネルＰＶから図示を省略した接続箱を経由して送信される電力を直流から交流に変換する。また、パワーコンディショナＰＣは、交流電力に変換した後、電力を住宅Ｈ内での利用や、蓄電池１２０への充電、系統ＣＰへの売電などに対応する出力に調整する。
【００２０】
一般負荷１０および特定負荷２０は、各種の電気機器であり、例えば、冷蔵庫や液晶テレビ等の家電機器、若しくは各種の照明装置である。ここで、特定負荷２０は、電気機器阿から予め選択された負荷であり、停電時等に蓄電池システム１００が蓄電した電力が供給される電気機器である。
【００２１】
分電盤３０は、系統ＣＰからの電力、パワーコンディショナＰＣ、若しくは蓄電池システム１００からの電力を分電する装置である。例えば、分電盤３０は、系統ＣＰから供給された電力を蓄電池システム１００へと分電し、蓄電池１２０の充電を行わせる。また、分電盤３０は、系統ＣＰから供給される電力や、蓄電池システム１００から放電された電力、若しくは、パワーコンディショナＰＣから供給される電力を、一般負荷１０や特定負荷２０に対して供給する。なお、分電盤３０は、蓄電池システム１００に対して電力を供給する蓄電池用分電盤と、一般負荷１０や特定負荷２０に対して電力を供給する住宅用分電盤とにより構成されていてもよい。
【００２２】
また、分電盤３０は、漏電を検出した際に漏電が発生した配線を遮断する漏電遮断器、すなわち、ブレーカーの機能を有する。例えば、分電盤３０は、漏電が発生した結果、蓄電池システム１００との間の配線に過電流が生じた場合は、蓄電池システム１００との間の配線を遮断する機能を有する。
【００２３】
電力変換ユニット１１０は、系統ＣＰから供給される電力を変換し、蓄電池１２０に蓄電される電力変換回路である。例えば、電力変換ユニット１１０は、インバータを有し、系統ＣＰから分電盤３０を介して供給される交流電力を直流電力に変換する。そして、電力変換ユニット１１０は、変換後の直流電力を蓄電池１２０に蓄電させる。なお、電力変換ユニット１１０は、太陽光パネルＰＶが発電した電力を蓄電池１２０に蓄電させてもよい。
【００２４】
蓄電池１２０は、蓄電池システム１００で用いられる二次電池（バッテリ）である。例えば、蓄電池１２０は、系統ＣＰから供給される電力や太陽光パネルＰＶにより生成された電力により充電される。また、例えば、蓄電池１２０は、制御電源基板１３０からの制御に従い、蓄電した電力を放電し、特定負荷２０へと電力を供給する機能を有する。例えば、電力変換ユニット１１０は、系統ＣＰが停止した場合は、蓄電池１２０が蓄電した電力を特定負荷２０へと供給する。
【００２５】
制御電源基板１３０は、蓄電池１２０の充放電を制御する際に用いる電力を生成する制御電源回路である。例えば、制御電源基板１３０は、電力変換ユニット１１０が有するインバータの入力側の電圧と出力側の電圧とを取得し、取得した各電圧に基づいて、ＢＭＵ（Battery  Management  Unit）等といった蓄電池システム１００を制御する制御回路を動作させるための電力を生成し、生成した電力を制御回路へと供給する。なお、制御回路については、図示を省略した。
【００２６】
リレー１４０は、電力変換ユニット１１０と制御電源基板１３０との間に設置されており、系統ＣＰが損失した場合は、電力変換ユニット１１０と制御電源基板１３０との間の接続を遮断し、電力供給が再開した場合は、電力変換ユニット１１０と制御電源基板１３０との間を接続する。リレー１５０は、系統ＣＰが損失した場合に、電力変換ユニット１１０とアースＥとの間の接続を接続し、電力供給が再開した場合は、電力変換ユニット１１０と制御電源基板１３０との間を遮断する。
【００２７】
なお、図１に示す例では、リレー１４０、１５０を電力変換ユニット１１０や制御電源基板１３０と分けて記載したが、実施形態は、これに限定されるものではない。例えば、リレー１４０は、制御電源基板１３０内に配置されており、リレー１５０は、電力変換ユニット１１０内に設置されていてもよい。
【００２８】
ここで、住宅Ｈには、系統ＣＰから単相３線式の配線を介して電力が供給される。例えば、図１に示す例では、単相３線式の配線が系統ＣＰ側の柱上トランスＴからスマートメータＳＭを介して分電盤３０に接続されている。また、分電盤３０と一般負荷１０や特定負荷２０(以下、「各負荷」と総称する場合がある。)との間も単相三線式の配線を介して接続される。このような場合、配線内の中性線は、系統ＣＰ側でアースＥに接地されており、各負荷は、中性線と電圧線のいずれか一方との間から、１００ボルトの交流電力を取出す。
【００２９】
また、電力変換ユニット１１０は、単相３線式の配線を介して分電盤３０と接続されており、単相３線式の配線を介して供給される電力を蓄電池１２０へと供給する。また、電力変換ユニット１１０は、単相３線式の配線を介して、特定負荷２０と接続されており、系統ＣＰが損失した場合は、蓄電池１２０に蓄電された電力を、単相３線式の配線を介して、特定負荷２０へと供給する。
【００３０】
ここで、系統ＣＰが損失した場合、電力変換ユニット１１０は、分電盤３０との間の配線上に接地されたリレーを用いて、分電盤３０との接続を遮断し、自立運転を開始する。すなわち、電力変換ユニット１１０は、系統ＣＰ側からの電力供給が停止した場合は、系統ＣＰ側と電力変換ユニット１１０との接続を遮断する第１リレーを用いて、分電盤３０との接続を遮断する。このような自立運転を行う場合、電力変換ユニット１１０は、特定負荷２０に電力を供給する配線の中性線の電位をグランドに保つため、リレー１５０を介して、中性線をアースＥに接地させる。すなわち、電力変換ユニット１１０は、系統ＣＰ側からの電力供給が停止した場合は、配線が有する中性線を接地させる第２リレーであるリレー１５０を介して、中性線をアースＥに接地させる。
【００３１】
しかしながら、このような状態において系統ＣＰが復活した場合、図１中点線で示すように、２点接地による閉ループＲＰが生じる場合がある。例えば、系統ＣＰが復活した場合、電力変換ユニット１１０は、分電盤３０との間の接続を再開する。しかしながら、このように分電盤３０との間の接続を再開した場合には、中性線が２点接地となってしまうため、地面を介した閉ループＲＰが生じてしまう。例えば、図１に示す例では、系統ＣＰが再開した際に、系統ＣＰから、スマートメータＳＭ、分電盤３０、電力変換ユニット、制御電源基板１３０、電力変換ユニット１１０、リレー１５０、および地面を辿って系統ＣＰへと至る閉ループＲＰが発生してしまう。
【００３２】
このような閉ループＲＰが発生した場合、分電盤３０には、閉ループＲＰを介した電流が流れるため、漏電が発生したと判定した分電盤３０が系統ＣＰからの電力供給を遮断してしまう。この結果、系統ＣＰからの電力供給が再開しているにもかかわらず、電力が一般負荷１０や特定負荷２０へと供給されなくなる恐れがある。
【００３３】
そこで、蓄電池システム１００は、系統ＣＰ側からの電力供給が停止した場合は、制御電源基板１３０と電圧線とを遮断し、系統ＣＰ側からの電力供給が再開した場合は、制御電源基板１３０と電圧線とを接続する第３リレーであるリレー１４０を有する。例えば、蓄電池システム１００は、系統ＣＰ側からの電力供給が停止した場合はリレー１５０を閉じて中性線を接地させるとともに、リレー１４０を空けて、電力変換ユニット１１０と制御電源基板１３０との間の接続を切断する。このような処理の結果、蓄電池システム１００は、系統ＣＰが復旧した際における閉ループＲＰの発生を防ぐことができる。
【００３４】
次に、図２を用いて、系統ＣＰ、分電盤３０、電力変換ユニット１１０、蓄電池１２０、および制御電源基板１３０の接続関係について説明する。図２は、実施形態に係る接続関係の一例を示す図である。図１に示すように、柱上トランスＴ、分電盤３０、および電力変換ユニット１１０は、単相３線式の配線を介して接続されている。ここで、図２に示す例では、３本の配線のうち真ん中の配線を中性線とし、他の配線を電圧線として示した。なお、図２に示す接続関係は、あくまで一例であり、蓄電池システム１００には、図２に示す回路以外にも任意の回路が含まれていてもよく、リレーやトランス等といった部品が追加されていてもよい。
【００３５】
例えば、分電盤３０には、中性線がアースＥに接地された単相３線式の配線が柱上トランスＴから延伸されている。また、分電盤３０は、中性線および各電圧線上に接地され、連動して各線の切断や接続を行うリレーＬ３１〜Ｌ３３を有し、過電流が発生した場合には、リレーＬ３１〜Ｌ３３を切断することで、漏電を防止する機能を有する。
【００３６】
また、分電盤３０からは、電力変換ユニット１１０に単相３線式の配線が延伸されている。電力変換ユニット１１０は、系統ＣＰが損失した際に分電盤３０との間に、系統ＣＰとの間を遮断若しくは接続するための第１リレーとして、連動したリレーＬ１１１〜Ｌ１１３を有する。また、電力変換ユニット１１０は、インバータＩ１１７とリレーＬ１１１〜Ｌ１１３との間の配線上に設置され、インバータＩ１１７と系統ＣＰと間の遮断もしくは接続するための連動したリレーＬ１１４〜Ｌ１１６を有する。また、電力変換ユニット１１０は、単相３線式の配線を介して供給される交流電力を直流電力へと変換し、変換後の直流電力を蓄電池１２０へと供給し、電力を蓄電させるインバータＩ１１７を有する。また、電力変換ユニット１１０は、中性線とアースＥとの間を遮断若しくは接続するための第２リレーとして、リレー１５０を有する。
【００３７】
なお、図２に示す例では図示を省略したが、電力変換ユニット１１０は、リレーＬ１１１〜Ｌ１１３とリレーＬ１１４〜Ｌ１１６との間に、特定負荷２０へと電力を供給するための配線を有する。そして、電力変換ユニット１１０は、系統ＣＰからの電力が喪失した場合は、リレーＬ１１１〜Ｌ１１３を開き、系統ＣＰとの間の接続を遮断する。また、電力変換ユニット１１０は、リレーＬ１５０を閉じることで、中性線をアースＥと接地させる。そして、電力変換ユニット１１０は、インバータＩ１１７を用いて、蓄電池１２０に蓄電された直流電力を交流電力に変換し、単相３線式の配線を介して、特定負荷２０へと交流電力を供給する。一方、電力変換ユニット１１０は、系統ＣＰからの電力供給が復活した場合は、リレーＬ１１１〜Ｌ１１３を閉じ、系統ＣＰと接続する。また、電力変換ユニット１１０は、リレーＬ１５０を開くことで、中性線とアースＥとの接続を遮断する。
【００３８】
制御電源基板１３０は、電力変換ユニット１１０が有するインバータＩ１１７よりも系統ＣＰ側の配線から交流電力を取得するとともに、インバータＩ１１７が蓄電池１２０に直流電力を供給する配線から直流電力を取得し、制御に用いる電力を生成する。
【００３９】
例えば、制御電源基板１３０は、整流を行うブリッジダイオードＢ１３３を有し、分電盤３０のリレーＬ３１〜Ｌ３３と、電力変換ユニット１１０のリレーＬ１１１〜Ｌ１１３との間の各電力線とブリッジダイオードＢ１３３とを接続するとともに、インバータＩ１１７と蓄電池１２０との間の配線とブリッジダイオードＢ１３３とを接続する。なお、制御電源基板１３０は、蓄電池１２０の正極側とブリッジダイオードＢ１３３とを接続する配線上に、蓄電池１２０の正極側をアノードとし、ブリッジダイオードＢ１３３側をカソードとするダイオードＤ１３１を有する。なお、制御電源基板１３０は、蓄電池１２０の負極側とブリッジダイオードＢ１３３とを接続する配線上に、蓄電池１２０の負極側をカソードとし、ブリッジダイオードＢ１３３側をアノードとするダイオードＤ１３２を有する。
【００４０】
また、制御電源基板１３０は、前段と後段とにコンデンサＣ１３４、Ｃ１３５が接地されたＤＣ（Direct  Current）／ＤＣ変圧器Ｔ１３６を有する。そして、制御電源基板１３０は、ブリッジダイオードＢ１３３によって整流された直流電力をＤＣ／ＤＣ変換器Ｔ１３６に入力し、所定の電圧（例えば、１２ボルト）を有する直流電力に変換する。そして、制御電源基板１３０は、変換後の直流電力を各種制御を行う制御回路に電源として伝達する。
【００４１】
ここで、制御電源基板１３０は、電力変換ユニット１１０の単相３線式の配線における電圧線とブリッジダイオードＢ１３３との間に、第３リレーとして、リレー１４０を有する。なお、図２に示す例では、リレーＬ３３とリレーＬ１１１３との間の電圧線（例えば、Ｌ１相）とブリッジダイオードＢ１３３とを接続する配線上にリレー１４０が配置されているが、実施形態は、これに限定されるものではない。例えば、リレー１４０は、リレーＬ３１とリレーＬ１１１との間の電圧線（例えば、Ｌ２相）とブリッジダイオードＢ１３３とを接続する配線上に配置されていてもよい。
【００４２】
そして、リレー１４０は、リレー１５０が閉じている場合には開き、リレー１５０が開いている場合には、閉じるように開閉が制御される。すなわち、リレー１４０は、電力変換ユニット１１０が自立運転を開始し、リレーＬ１１１〜Ｌ１１３を開いて系統ＣＰ側との接続を遮断し、リレー１５０を閉じて中性線をアースＥと接地させた場合は、電圧線とブリッジダイオードＢ１３３との間の接続を遮断する。また、リレー１４０は、系統ＣＰからの電力供給が復活した場合は、電圧線とブリッジダイオードＢ１３３との間を接続する。
【００４３】
ここで、図３は、実施形態において生じうる閉ループの一例を示す図である。なお、図３においては、閉ループＲＰを太い点線で示した。図３に示すように、リレー１４０とリレー１５０とが同時に閉じた場合には、系統ＣＰの復活時において、柱上トランスＴの中性線からアースＥ、リレー１５０、リレーＬ１１５、インバータ、ダイオードＤ１３１、コンデンサＣ１３４、ブリッジダイオードＢ１３３、リレー１４０、およびリレーＬ３３を介した閉ループＣＰに電流が流れる。この結果、分電盤３０は、漏電が発生したと判断し、リレーＬ３１〜Ｌ３３を上げ、系統ＣＰからの電力を遮断してしまう。
【００４４】
そこで、リレー１４０は、リレー１５０が閉じている場合は、電圧線と制御電源基板１３０との間の接続を遮断する。このような処理の結果、蓄電池システム１００は、系統ＣＰが復活した際の閉ループＲＰの発生を防ぐ結果、系統ＣＰが復活した際に分電盤３０が系統ＣＰからの電力を遮断する現象を防ぐことができる。
【００４５】
なお、蓄電池システム１００は、リレー１４０とリレー１５０とが同時に閉まることが無いように、リレー１４０の動作に遅延を設けてもよい。例えば、リレー１４０は、系統ＣＰ側からの電力供給が再開した場合は、リレー１５０が接地を遮断した後で制御電源基板１３０と電圧線とを接続してもよい。例えば、蓄電池システム１００は、リレー１４０の開閉（すなわち、接続および遮断）を操作するコイルの両端に電解コンデンサを設置してもよい。このような場合、リレー１４０は、リレー１５０が閉じる前に電圧線と制御電源基板１３０との接続を遮断し、リレー１５０が開いた後で電圧線と制御電源基板１３０との間を接続することとなる。
【００４６】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４７】
１０  一般負荷
２０  特定負荷
３０  分電盤
１００  蓄電池システム
１１０  電力変換ユニット
１２０  蓄電池
１３０  制御電源基板
Ｌ３１〜Ｌ３３、Ｌ１１１〜Ｌ１１６、１４０、１５０  リレー
Ｅ  アース
Ｔ  柱上トランス
Ｈ  住宅
ＰＶ  太陽光パネル
ＰＣ  パワーコンディショナ
ＳＭ  スマートメータ
ＲＰ  閉ループ
Ｄ１３１、Ｄ１３２  ダイオード
Ｂ１３３  ブリッジダイオード
Ｃ１３４、Ｃ１３５  コンデンサ
Ｉ１１７  インバータ
【図１】
2020054205.tif 000003
【図２】
2020054205.tif 000004
【図３】
2020054205.tif 000005